(57)【要約】【課題】冷却対象の冷却を効率良く行うことのできる冷却装置、この冷却装置を備えた光学装置およびプロジェクタを提供する。【解決手段】冷却装置５は、内部にファン本体５１１を備える筐体としてのフレーム５１と、このフレーム５１上面に形成された台座部５２とを備え、これらフレーム５１および台座部５２は、熱伝導性材料により形成されている。台座部５２には冷却対象４４が固定され、放熱部でもある台座部５２は、冷却対象４４からの熱が伝導され、伝導された熱を放熱する。また、冷却装置５に設けられたファン本体５１１は、冷却対象４４に冷却空気を送風して冷却する。これにより、冷却対象４４の熱は、ファン本体５１１からの冷却空気の送風により冷却されるとともに、冷却装置５の放熱部に伝導されて放熱されることによって冷却される。【選択図】  図６
2004354853.tif 000002
【特許請求の範囲】
【請求項１】
回転駆動源の回転軸に軸支される羽根部材を有するファン本体と、このファン本体を収納する筐体とを備え、加熱された冷却対象に冷却空気を吹き付ける冷却装置であって、
前記筐体は、熱伝導性材料からなり、前記冷却対象で発生した熱を熱伝導により外部に放熱する放熱部を備えていることを特徴とする冷却装置。
【請求項２】
請求項１に記載の冷却装置において、
前記筐体は、金属材料から構成されていることを特徴とする冷却装置。
【請求項３】
請求項１または請求項２に記載の冷却装置において、
前記筐体には、前記冷却対象と当接する当接面が形成されていることを特徴とする冷却装置。
【請求項４】
複数の色光を各色光毎に画像情報に応じて変調する複数の光変調装置と、各光変調装置と対向する複数の光束入射端面を有し各光変調装置で変調された色光を合成する色合成光学系と、各光変調装置および各光束入射端面の間に配置される複数の光学変換素子とを備えた光学装置であって、
前記色合成光学系の光束入射端面には、該光束入射端面に対向配置され、前記光変調装置および／または前記光学変換素子で発生した熱を伝導する熱伝導板が設けられ、
この熱伝導板は、請求項１〜請求項３のいずれかに記載の冷却装置を構成する筐体の放熱部と当接していることを特徴とする光学装置。
【請求項５】
請求項４に記載の光学装置において、
前記熱伝導板は、サファイアガラスまたは水晶であることを特徴とする光学装置。
【請求項６】
請求項４または請求項５に記載の光学装置において、
前記冷却装置の筐体には、前記回転駆動源の回転軸に応じた位置に、前記色合成光学系を支持する台座が形成されていることを特徴とする光学装置。
【請求項７】
請求項６に記載の光学装置において、
前記台座の支持面には、前記筐体に対する前記色合成光学系の姿勢を調整する膨出部が形成されていることを特徴とする光学装置。
【請求項８】
請求項４〜請求項７のいずれかに記載の光学装置において、
前記筐体は、前記冷却装置の送風方向に沿って延出し、前記色合成光学系から射出された光束を拡大投写する投写レンズが取り付けられる投写レンズ取付部を備えていることを特徴とする光学装置。
【請求項９】
光源と、この光源から射出された光束を画像情報に応じて変調して光学像を形成する光変調装置と、この光変調装置で形成された光学像を拡大投写する投写光学系とを備えたプロジェクタであって、
請求項１〜請求項３のいずれかに記載の冷却装置、または請求項４〜請求項８のいずれかに記載の光学装置を備えていることを特徴とするプロジェクタ。
【請求項１０】
請求項９に記載のプロジェクタにおいて、
前記光源および前記光変調装置を含む光学系を収納する外装筐体を有し、
この外装筐体には、外部空気を取り込むための吸気用開口部が形成され、
前記冷却装置は、この吸気用開口部から離れた位置に配置され、
前記吸気用開口部には、取り込んだ空気をこの冷却装置に導くために、回転により取り込んだ空気を回転接線方向に吐出するシロッコファンが設けられていることを特徴とするプロジェクタ。
【発明の詳細な説明】
【０００１】
【発明の属する技術分野】
本発明は、フレームを有するファンを備えた冷却装置、この冷却装置を備えた光学装置、およびプロジェクタに関する。
【０００２】
【背景技術】
従来、会議、学会、展示会等でのプレゼンテーションや、家庭でのホームシアター用途においては、光源から射出された光束を画像情報に応じて変調して光学像を形成し、拡大投写するプロジェクタが用いられている。このようなプロジェクタとしては、いわゆる三板式のプロジェクタが知られている。この三板式のプロジェクタは、光源と、この光源から射出される光束を複数の色光に分離する色分離光学系と、この色分離光学系で分離された各色光毎に光変調を行う複数の光変調装置と、各光変調装置で変調された変調光束を合成する色合成光学系と、この色合成光学系から射出された光束を拡大投写する投写レンズとを備えている。
【０００３】
ここで、複数の光変調装置は、各光変調装置の画像形成領域の画素間で画素ずれが生じないように、相互に位置決めされている必要がある。このため、各光変調装置を相互に位置調整した後、色合成光学系に固定して一体化した光学装置が採用されている。また、光変調装置の画像形成領域は、投写レンズのバックフォーカス位置にないと鮮明な画像が形成できない。そこで、従来、側面Ｌ字状の構造体を用い、構造体の水平部のＬ字内側の面に光学装置を設置し、この水平部に立設される垂直部のＬ字外側の面に投写レンズを取り付けた構造が採用されている。このような光学装置によれば、プロジェクタの組立とは別に光学装置を製造することができるため、プロジェクタの組立工程の簡素化を図ることができる。
【０００４】
ところで、このような光学装置は、光変調装置のほか、偏光板等の光学素子も一体的に設けられ、光変調装置、光学素子は熱に弱いものが多く、これらの光学部品を効率的に冷却する必要がある。このため、従来、構造体の水平部下面側に冷却ファンを配置し、水平部には孔を開けておき、冷却ファンから空気を吹き付けることにより、光学装置を冷却する構造が採用されている（例えば、特許文献１参照）。
【０００５】
【特許文献１】
特開２００１―１００１８５
【０００６】
【発明が解決しようとする課題】
しかしながら、このような構造の光学装置では、冷却ファンから吹き付けられた空気によってのみ光学装置を冷却するので、光源の高輝度化に伴い増大する光学装置の熱を、効率良く冷却できないという課題がある。
【０００７】
本発明の目的は、冷却対象の冷却を効率良く行うことのできる冷却装置、この冷却装置を備えた光学装置およびプロジェクタを提供することである。
【０００８】
【課題を解決するための手段】
本発明の冷却装置は、回転駆動源の回転軸に軸支される羽根部材を有するファン本体と、このファン本体を収納する筐体とを備え、加熱された冷却対象に冷却空気を吹き付ける冷却装置であって、前記筐体は、熱伝導性材料からなり、前記冷却対象で発生した熱を熱伝導により外部に放熱する放熱部を備えていることを特徴とする。
【０００９】
本発明によれば、冷却対象で発生した熱は、冷却装置の筐体に伝導され、冷却装置の放熱部により放熱される。これによれば、ファン本体から冷却空気を吹き付けることによる冷却と、冷却装置の筐体に熱伝導し放熱部で放熱することによる冷却との２つの冷却系統により冷却対象を冷却することとなる。従って、冷却対象を効率良く冷却することができる。
【００１０】
本発明では、前記筐体は、金属材料から構成されていることが好ましい。
本発明によれば、金属は合成樹脂等の材料と比べて熱伝導率が高いので、合成樹脂等で形成された筐体を備えた冷却装置と比べて、冷却対象からの熱伝導効率を向上することができる。従って、放熱部への熱伝導効率を高め、放熱部による放熱を効果的に行うことができる。
【００１１】
本発明では、前記筐体には、前記冷却対象と当接する当接面が形成されていることが好ましい。
本発明によれば、冷却対象で発生した熱は、筐体に形成された当接面を介して、筐体に伝導され、放熱部で放熱される。従って、冷却装置の筐体に冷却対象の熱を直接伝導させることができるので、熱伝導効率を向上でき、放熱による冷却対象の冷却を一層効率的に行うことができる。
【００１２】
また、本発明の光学装置は、複数の色光を各色光毎に画像情報に応じて変調する複数の光変調装置と、各光変調装置と対向する複数の光束入射端面を有し各光変調装置で変調された色光を合成する色合成光学系と、各光変調装置および各光束入射端面の間に配置される複数の光学変換素子とを備えた光学装置であって、前記色合成光学系の光束入射端面には、該光束入射端面に対向配置され、前記光変調装置および／または前記光学変換素子で発生した熱を伝導する熱伝導板が設けられ、この熱伝導板は、前述の冷却装置を構成する筐体の放熱部と当接していることを特徴とする。
【００１３】
本発明によれば、前述の冷却装置と略同様の効果を奏することができる。すなわち、光学装置に備えられた光変調装置および／または光学変換素子の熱は、熱伝導板を介して、冷却装置の放熱部に伝導され放熱される。従って、ファン本体によって送風される冷却空気による冷却と、冷却装置の放熱部への伝導および放熱による冷却との２系統の冷却により、光学装置を効率良く冷却することができる。
【００１４】
本発明では、前記熱伝導板は、サファイアガラスまたは水晶であることが好ましい。
本発明によれば、サファイアガラスおよび水晶は熱伝導性が高いので、光変調装置および／または光学変換素子に生じた熱は、熱伝導板に速やかに伝導される。これにより、光変調装置および／または光学変換素子の急激な温度上昇を防止でき、熱変性を抑制することができる。また、サファイアガラスおよび水晶の高い熱伝導性により、放熱部への熱伝導が速やかに行われるので、放熱による冷却効率を向上することができ、光学装置の冷却を一層効率良く行うことができる。
さらに、サファイアガラスおよび水晶は、通常のガラスに比べ、入射された光束の透過率が高いので、光学装置に照射される光束の光量が減少することを防ぐことができる。
【００１５】
本発明では、前記冷却装置の筐体には、前記回転駆動源の回転軸に応じた位置に、前記色合成光学系を支持する台座が形成されていることが好ましい。
本発明によれば、冷却装置の台座に光学装置の色合成光学系が支持されるので、冷却装置を色合成光学系の台座として利用することができる。これにより、色合成光学系を支持する部材を新たに設ける必要がないので、光学装置の構造を簡素化し、製造工数を削減して製造コストを削減することができる。また、台座部は、冷却装置の筐体において、回転軸に応じた位置に形成されているので、台座に支持される色合成光学系の各光束入射端面の熱伝導板に対して、略均等に冷却空気を送風することができる。従って、それぞれの熱伝導板に冷却空気を送風して略均等に冷却することができる。
【００１６】
本発明では、前記台座の支持面には、前記筐体に対する前記色合成光学系の姿勢を調整する膨出部が形成されていることが好ましい。
本発明によれば、膨出部により色合成光学系の姿勢を調整して、照明光軸に対する適切な位置に色合成光学系を配置することができる。従って、色合成光学系の光束入射端面が傾斜していても、冷却装置に対して適切な位置に色合成光学系を取り付けることができる。
【００１７】
本発明では、前記筐体は、前記冷却装置の送風方向に沿って延出し、前記色合成光学系から射出された光束を拡大投写する投写レンズが取り付けられる投写レンズ取付部を備えていることが好ましい。
ここで、投写レンズ取付部は、冷却装置に一体的に形成された構成でも、別体として取り付けられる構成でもよい。
本発明によれば、投写レンズは、冷却装置の筐体に設けられた投写レンズ取付部に取り付けられるので、投写レンズのバックフォーカス位置に精度良く色合成光学系を配置することができる。また、冷却装置により、光学装置と投写レンズとが連結されるので、両者を連結させる連結部材を新たに設ける必要がなく、部品点数の削減を図ることができる。さらに、投写レンズ取付部を冷却装置と一体的に形成される場合では、投写レンズ取付部を冷却装置に取り付けるための取付部材や作業工数を削減することができる。一方、投写レンズ取付部を冷却装置とは別体として形成し、冷却装置に取り付ける場合では、投写レンズ取付部を冷却装置から外して、他の冷却対象、例えば、光源装置等の冷却に冷却装置を供することができる。従って、冷却装置の汎用性を高めることができる。
【００１８】
また、本発明のプロジェクタは、光源と、この光源から射出された光束を画像情報に応じて変調して光学像を形成する光変調装置と、この光変調装置で形成された光学像を拡大投写する投写光学系とを備えたプロジェクタであって、前述の冷却装置、または前述の光学装置を備えていることを特徴とする。
【００１９】
本発明によれば、前述の冷却装置または前述の光学装置と略同様の効果を奏することができる。すなわち、光学装置だけでなく、プロジェクタの構成部品、例えば、光源装置等に冷却装置を採用することもでき、この場合においても、冷却装置によって効率良く冷却対象を冷却することができる。また、光学像の形成において重要な光学装置を効率良く冷却することができるので、プロジェクタの機能を安定化することができ、プロジェクタの構成部品における熱変性による短命化を防ぐことができる。
【００２０】
本発明では、前記光源および前記光変調装置を含む光学系を収納する外装筐体を有し、この外装筐体には、外部空気を取り込むための吸気用開口部が形成され、前記冷却装置は、この吸気用開口部から離れた位置に配置され、前記吸気用開口部には、取り込んだ空気をこの冷却装置に導くために、回転により取り込んだ空気を回転接線方向に吐出するシロッコファンが設けられていることが好ましい。
本発明によれば、冷却装置による冷却対象の冷却に供される冷却空気は、シロッコファンにより送風される。ここで、冷却装置が光学装置に採用され、冷却装置に軸流ファンが採用されている場合、冷却装置は、色合成光学系に取り付けられる複数の光変調装置に対して同時に冷却空気を送風して冷却しなければならないため、送風面積の大きな軸流ファンを採用することが好ましい。一方、シロッコファンは、回転数が少なくても、大きな吐出圧を有し、軸流ファンに比べて静粛性が良い。このような構成とすることにより、冷却装置を吸気用開口部から離れた位置に配置して、冷却装置の軸流ファンの風切音が、プロジェクタ外に漏れることを防ぐことができ、静粛性のよいシロッコファンで外部空気を取り込み、高い吐出圧で軸流ファンに外部空気を送風し、光学装置の冷却を確実に行うことができる。従って、光学装置等の冷却対象の冷却を効率良く行うことができ、かつ、プロジェクタの静粛性を向上することができる。
【００２１】
【発明の実施の形態】
以下、本発明の第１実施形態を図面に基づいて説明する。
〔１．第１実施形態〕
（１）外観構成
図１には、第１実施形態に係るプロジェクタが示されている。プロジェクタ１は、光源から射出された光束を画像情報に応じて変調し、スクリーン等の投写面上に拡大投写する。このプロジェクタ１は、図１に示すように、外装ケース２と、この外装ケース２から露出する投写レンズ３とを備えている。
【００２２】
外装ケース２は、合成樹脂製の外装筐体であり、プロジェクタ１の本体部分を収納する。外装ケース２の上面には、プロジェクタ１の起動・調整操作を実施する複数のスイッチ２１Ａが設けられた操作パネル２１が設けられている。外装ケース２の前面には、前方から見て左側部分に排気口２２が形成されている。この排気口２２の内部には、図示しない排気ファンが配置され、この排気ファンにより、プロジェクタ１内部を冷却した空気が排気口２２からプロジェクタ１外部へと排出される。排気口２２には、左右方向に延び、それぞれ平行に配列する複数の羽根板２２Ｂを有するルーバ２２Ａが取り付けられている。このルーバ２２Ａは、排出される空気を整流するとともにプロジェクタ１内外間の遮光機能も備えている。また、外装ケース２の前面右側部分には、前面から上面に向かって切り欠き２３が形成されており、この切り欠き２３には、投写レンズ３の先端部分およびレバー３Ａが露出している。
【００２３】
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａを備えている。このレバー３Ａは、投写像のフォーカス調整、および倍率調整可能に構成されている。
【００２４】
（２）内部構成
図２は、プロジェクタ１の本体部分に収納された光学ユニット４を模式的に示した図である。光学ユニット４は、光源装置４１１から射出された光束を画像情報に応じて変調して光学像を形成し、投写レンズ３を介してスクリーン上に投写画像を形成するものである。
【００２５】
光学ユニット４は、インテグレータ照明光学系４１と、色分離光学系４２と、リレー光学系４３と、光変調装置および色合成光学装置を一体化した光学装置４４と、これら光学部品４１、４２、４３、４４を収納配置する図示しないライトガイドとに機能的に大別される。
【００２６】
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、重畳レンズ４１５およびフィールドレンズ４１６を備えて構成される。
【００２７】
光源装置４１１は、放射光源としての光源ランプ４１７と、リフレクタ４１８と、このリフレクタ４１８の光束射出面を覆う防爆ガラス４１９とを備えている。光源ランプ４１７から射出された放射状の光束は、リフレクタ４１８で反射されて略平行光束とされ、外部へと射出される。本発明の第１実施形態では、光源ランプ４１７として、高圧水銀ランプを採用し、リフレクタ４１８として、放物面鏡を採用している。ここで、光源ランプ４１７としては、高圧水銀ランプに限らず、例えばメタルハライドランプやハロゲンランプ等を採用してもよい。また、リフレクタ４１８として放物面鏡を採用しているが、これに限らず、楕円面鏡からなるリフレクタの射出面に平行化凹レンズを配置した構成を採用してもよい。なお、光源装置４１１の構造については、後に詳述する。
【００２８】
第１レンズアレイ４１２は、照明光軸方向から見て略矩形状の輪郭を有する小レンズがマトリクス状に配列された構成とされている。各小レンズは、光源ランプ４１７から射出された光束を部分光束に分割し、照明光軸方向に射出する。
第２レンズアレイ４１３は、第１レンズアレイ４１２と略同様の構成であり、小レンズがマトリクス状に配列された構成とされている。この第２レンズアレイ４１３は、重畳レンズ４１５とともに、第１レンズアレイ４１２の各小レンズの像を後述する光学装置４４の液晶パネル４４１Ｒ、４４１Ｇ、４４１Ｂ上に結像させる機能を有する。
【００２９】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に後述する光学装置４４の液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１７からの光束の略半分が利用されない。このため、偏光変換素子４１４を用いることにより、光源ランプ４１７から射出された光束を略１種類の偏光光に変換し、光学装置４４における光の利用効率を高めている。なお、このような偏光変換素子４１４は、例えば、特開平８−３０４７３９号公報に紹介されている。
【００３０】
色分離光学系４２は、２枚のダイクロイックミラー４２１、４２２と、２枚の反射ミラー４２３、４２４とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、反射ミラー４３２、４３４とを備えている。このリレー光学系４３は、色分離光学系４２で分離された色光である青色光を、後述する光学装置４４の液晶パネル４４１Ｂまで導く機能を有している。
【００３１】
この際、色分離光学系４２のダイクロイックミラー４２１では、反射ミラー４２４を介してインテグレータ照明光学系４１から射出された光束のうち、緑色光と青色光とは透過し、赤色光は反射する。ダイクロイックミラー４２１によって反射した赤色光は、反射ミラー４２３で反射し、フィールドレンズ４１６を通って、赤色用の液晶パネル４４１Ｒに到達する。このフィールドレンズ４１６は、第２レンズアレイ４１３から射出された各部分光束をその中心軸（主光線）に対して平行な光束に変換するものであり、他の液晶パネル４４１Ｇ、４４１Ｂの光入射側に設けられたフィールドレンズ４１６も同様である。
【００３２】
また、ダイクロイックミラー４２１を透過した青色光と緑色光のうちで、緑色光は、ダイクロイックミラー４２２によって反射し、フィールドレンズ４１６を通って、緑色光用の液晶パネル４４１Ｇに到達する。一方、青色光は、ダイクロイックミラー４２２を透過してリレー光学系４３を通り、さらにフィールドレンズ４１６を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１６に伝えるためである。なお、リレー光学系４３には、３つの色光のうち、青色光を通す構成としたが、これに限らず、例えば、赤色光を通す構成としてもよい。
【００３３】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ、４４１Ｇ、４４１Ｂおよび射出側偏光板４４４と、色合成光学装置としてのクロスダイクロイックプリズム４４５とを備えている。
【００３４】
光変調装置としての液晶パネル４４１Ｒ、４４１Ｇ、４４１Ｂは、入射側偏光板４４２および視野角補正板４４３を介して入射する光束を画像情報に応じて変調して射出する。これら液晶パネル４４１Ｒ、４４１Ｇ、４４１Ｂは、図示を略したが、それぞれ、液晶パネル本体と、この液晶パネル本体を内部に収納する保持枠４４６（図３および図４）とを備えている。液晶パネル本体は、例えば、ポリシリコンＴＦＴをスイッチング素子として用いたものであり、対向配置される一対の透明基板内に液晶が密封封入されている。なお、保持枠４４６の構造は、後に詳述する。
【００３５】
光学変換素子としての入射側偏光板４４２および射出側偏光板４４４は、一定方向の偏光光のみ透過させ、その他の光束を吸収するものであり、サファイアガラスにより構成された基板に偏光膜が貼付されたものである。このうち、入射側偏光板４４２は、色分離光学系４２で分離された各色光のうち、一定方向の偏光光を透過させる。また、射出側偏光板４４４は、液晶パネル４４１Ｒ、４４１Ｇ、４４１Ｂから射出された光束のうち、所定方向の偏光光のみ透過させる。この射出側偏光板４４４において、透過させる偏光光の偏光軸は、入射側偏光板４４２における透過させる偏光光の偏光軸に対して直交するように設定されている。
なお、射出側偏光板４４４の構造については、後に詳述する。
【００３６】
視野角補正板４４３は、基板上に液晶パネル４４１Ｒ、４４１Ｇ、４４１Ｂで形成される光学像の視野角を補正する機能を有する光学変換膜が形成されたものである。この視野角補正板４４３は、液晶パネル４４１Ｒ、４４１Ｇ、４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ、４４１Ｇ、４４１Ｂ、射出側偏光板４４４およびクロスダイクロイックプリズム４４５は、一体的にユニット化されている。
【００３７】
（３）光学装置
図３には、光学装置４４の斜視図が示されている。また、図４には、光学装置４４の分解斜視図が示されている。
図３および図４に示すように、光学装置４４は、液晶パネル４４１、射出側偏光板４４４およびクロスダイクロイックプリズム４４５の他に、固定部材４４７と、放熱部材４４９と、冷却装置５とを備えている。なお、図３および図４では、３つの液晶パネル４４１のうち、代表して液晶パネル４４１Ｇのみを図示し、他の液晶パネル４４１Ｒ、４４１Ｂの図示を省略する。
【００３８】
保持枠４４６は、前述のように、液晶パネル４４１Ｇを構成するもので、矩形板の外周に沿って立設される側壁を有する金属製の容器状に構成され、図示を略したが、内部に液晶パネル本体が収納され、容器開口部は、固定板によって塞がれている。この保持枠４４６は、アルミニウム等の熱伝導性金属によって形成されている。
保持枠４４６の上面には、複数の信号線が形成されたフレキシブルケーブル４４６Ｄが挿通されており、このフレキシブルケーブル４４６Ｄの一方の端部は、保持枠４４６内部に収納した液晶パネル本体に接続され、もう一方の端部は、プロジェクタ１の動作を制御する図示しない制御基板に接続される。
保持枠４４６の光束入射側端面の略中央には、液晶パネル本体に光束を入射させるための開口４４６Ａが、液晶パネル本体の大きさに対応して形成されている。すなわち、開口４４６Ａは、クロスダイクロイックプリズム４４５に入射される光束の光路を形成している。また、この開口４４６Ａの上下には、複数の溝４４６Ｂが上下方向に形成されている。この溝４４６Ｂは、液晶パネル本体から伝導された熱の放熱において、冷却空気に晒される表面積を広く確保して、冷却効率を上げるためのものである。溝４４６Ｂの両脇、すなわち、保持枠４４６の４隅には、４つの取付孔４４６Ｃが形成されている。この取付孔４４６Ｃを介して、保持枠４４６は固定部材４４７に取り付けられる。
【００３９】
固定部材４４７は、保持枠４４６を熱伝導板４４８に取り付けるための部材である。この固定部材４４７は、対象形状を為す一対の板状部材で構成されており、紫外線を透過する透明部材により形成されている。
それぞれの固定部材４４７の光束入射側端面における長手方向両端部には、先端が丸みを帯びたピン４４７Ａが形成されている。このピン４４７Ａは、円柱状に突出する基部４４７Ａ１の先端に、この基部４４７Ａ１より径の小さい円柱状の接着部４４７Ａ２が形成されている。この接着部４４７Ａ２の径は、前述した保持枠４４６の取付孔４４６Ｃの径よりも多少小さく形成されており、接着部４４７Ａ２は、取付孔４４６Ｃに挿通され接着される。これにより、保持枠４４６を固定部材４４７に取り付けた場合、保持枠４４６と固定部材４４７との間には間隔が生じることとなる。この間隔は、クロスダイクロイックプリズム４４５に対する焦点設定のための間隔であり、また、冷却空気が流通するための間隔である。なお、この間隔の長さは、固定部材４４７に保持枠４４６を取り付ける際に、自由に調整することができる。
また、それぞれの固定部材４４７には、互いに対向する面の略中央に、射出側偏光板４４４の位置に対応する切り欠き４４７Ｂが形成されている。このような固定部材４４７は、熱伝導板４４８の光束入射側端面の幅方向両端部に、紫外線硬化性の接着材によって、それぞれの固定部材４４７が互いに略平行となるように取り付けられる。
【００４０】
熱伝導板４４８は、上下に長い略矩形状をした基板であり、白板ガラスよりも熱伝導性の高いサファイアガラスによって形成されている。この熱伝導板４４８の光束入射側端面の略中央には、偏光膜４４４Ａが貼り付けられ、偏光膜４４４Ａおよび熱伝導板４４８により、射出側偏光板４４４は構成されている。
このような熱伝導板４４８の光束射出側端面は、クロスダイクロイックプリズム４４５の光束入射側端面に取り付けられる。
なお、本実施形態では、熱伝導板４４８は、サファイアガラスによって形成されるとしたが、水晶を用いてもよい。この場合、サファイアガラスによって形成される熱伝導板４４８と同様の熱伝導板を形成することができる。すなわち、水晶により、熱伝導性が高い熱伝導板を形成できる。また、通常のガラスに比べて軟化点が高く熱膨張係数が小さいため、高い耐熱衝撃性を熱伝導板に保持させることができる。さらに、水晶は、通常のガラスに比べ、不純物の含有量が少ないため光の吸収がなく、光の透過率が高い。このため、中央に貼り付けられる偏光膜４４４Ａを透過した光束が吸収されて、光量が下がることを防ぐことができる。
【００４１】
放熱部材４４９は、クロスダイクロイックプリズム４４５の上下面（光束入射端面と略直交する一対の端面）のうち上面４４５Ａに、熱伝導性のゴム７を介して、取り付けられる。この放熱部材４４９は、アルミニウム等の熱伝導性金属によって、四角錐を水平方向に切り欠いた略角錐台形状に形成され、下底部分４４９Ａの縦横寸法は、上面４４５Ａの縦横寸法より大きく、また、上底部分４４９Ｂにおける縦横寸法は、上面４４５Ａの縦横寸法より小さく形成されている。放熱部材４４９は、この上底部分４４９Ｂがクロスダイクロイックプリズム４４５の上面４４５Ａに当接されるように、上下逆にして配置される。
また、放熱部材４４９は、クロスダイクロイックプリズム４４５と当接するとともに、熱伝導性のゴム７を介して、熱伝導板４４８の上端部分と接触している。このため、熱伝導板４４８の熱は、ゴム７を介して放熱部材４４９に伝導され放熱される。
ここで、ゴム７は略三角柱状に図４に示したが、放熱部材４４９がクロスダイクロイックプリズム４４５の上面４４５Ａに位置決めされ、ゴム７が上面４４５Ａと放熱部材４４９の側面と当接されるように装着されたとき、ゴム７は、熱伝導板４４８が取り付けられる位置より膨出した形状をしている。このゴム７の膨出した面に対して熱伝導板４４８が取り付けられると、ゴム７は圧縮され略三角柱状とされるとともに、熱伝導板４４８と放熱部材４４９との密着が確保される。なお、本実施形態では、熱伝導性のゴム７を用いたが、熱可塑性・熱伝導性の接着剤等を用いてもよい。
【００４２】
冷却装置５は、内部にファン本体５１１（図５参照）を備え、冷却装置５の上面に形成された送風口５１３から光学装置４４に冷却空気を送風して、光学装置４４を冷却するものである。この冷却装置５は、クロスダイクロイックプリズム４４５の下面４４５Ｂに、取り付けられるとともに、放熱部材４４９と同様に、ゴム７を介して、熱伝導板４４８に当接される。
【００４３】
図５には、冷却装置５の側面図が示されている。
図５に示すように、冷却装置５は、アルミニウム等の熱伝導率の高い材料によって形成されたフレーム５１を備えている。
フレーム５１は、ファン本体５１１を内部に収納する筐体として平面視略矩形に形成されている。ファン本体５１１は、図示しない回転駆動源であるファンモータと、このファンモータの回転軸５１１Ａの周囲に径方向に形成された羽根部材であるファンブレード５１１Ｂとを備えている。このファンモータは、プロジェクタ１内に設けられた図示しない電源ユニットから電源コードを介して供給される電力によって、回転軸５１１Ａを回転させ、この回転によりファンブレード５１１Ｂが冷却空気を上方に送風する。
フレーム５１の底面には、ファン本体５１１により送風される冷却空気の吸気口５１２が形成されている。
フレーム５１の上面には、台座部５２と、４つの送風口５１３と、投写レンズ３に設けられた垂直板３Ｂを取り付けるための凸部５１４およびねじ溝５１５とが形成されている。
【００４４】
台座部５２は、クロスダイクロイックプリズム４４５を支持する側面視略台形状の台座であり、フレーム５１上面の略中央、すなわち、ファンモータの回転軸５１１Ａに応じた位置に、フレーム５１と一体的に形成されている。この台座部５２には、前述のように、熱伝導板４４８が当接される。このため、この熱伝導板４４８を介して射出側偏光板４４４の熱が、台座部５２に伝導され放熱される。すなわち、台座部５２は、射出側偏光板４４４の熱が伝導され、伝導された熱を放熱する放熱部でもある。
【００４５】
台座部５２の上面５２Ａは、クロスダイクロイックプリズム４４５が取り付けられる支持面であり、図５に示すように、中央部分が面外方向に膨出した形状となっている。この膨出部５２１は、クロスダイクロイックプリズム４４５を支持固定する際に、入射光束に対するクロスダイクロイックプリズム４４５の姿勢を調整するための部分である。
また、台座部５２の側面は、熱伝導板４４８の下端と当接される当接面５２２として形成されている。この当接面５２２は、下方に向かうにしたがって台座部５２の水平方向に断面積が大きくなるように傾斜して形成されており、クロスダイクロイックプリズム４４５の寸法に多少の誤差が生じても、クロスダイクロイックプリズム４４５の光束入射側端面に取り付けられた熱伝導板４４８と当接面５２２とが当接されるように構成されている。
【００４６】
送風口５１３は、ファン本体５１１から冷却空気が送風される開口であり、台座部５２を囲むようにして、４つ形成されている。すなわち、これら送風口５１３は、台座部５２に支持されるクロスダイクロイックプリズム４４５に形成された３つの光束入射端面および光束射出側端面に対して、ファン本体５１１から略均等に冷却空気が送風されるように形成されている。
【００４７】
凸部５１４は、台座部５２にクロスダイクロイックプリズム４４５が支持された場合における光束射出側のフレーム５１上面に、凸状に形成されている。この凸部５１４は、投写レンズ３に設けられた板状の投写レンズ取付部材である垂直板３Ｂの下端に形成された凹部３Ｃと係合される。
ねじ溝５１５は、垂直板３Ｂの下端から略水平方向に延出した延出部３Ｄに形成された孔３Ｅに応じた位置に、フレーム５１上面に形成されている。このねじ溝５１５には、孔３Ｅを挿通したねじ３Ｆが螺合する。
従って、凸部５１４と垂直板３Ｂの凹部３Ｃとが係合することにより、垂直板３Ｂは、フレーム５１上面に位置決めされる。この垂直板３Ｂの位置決めの後、孔３Ｅを挿通したねじ３Ｆを、ねじ溝５１５にねじ止めすることにより、垂直板３Ｂは冷却装置５に固定される。なお、凸部５１４およびねじ溝５１５は、フレーム５１上面に適宜、必要数形成してよい。
【００４８】
図６には、光学装置４４が取り付けられた冷却装置５近傍におけるプロジェクタ１の断面図が示されている。
図６に示すように、光学機器収納用筐体であるライトガイド４５の底面と、プロジェクタ内部における外装ケース２の底面との間にはダクト４６が形成されている。このダクト４６は、図示を略したが、プロジェクタ１外部に対して開口し、冷却装置５から離れた位置にある吸気用開口部と通じており、この吸気用開口部に設けられシロッコファンにより、取り込まれたプロジェクタ１外部の空気が、ダクト４６内を流通している。冷却装置５の底面に形成された吸気口５１２は、ダクト４６に対して開口しており、冷却装置５のファン本体５１１により、吸気口５１２から、ダクト４６内を流れる外部空気が矢印Ａ方向に吸入され、送風口５１３から、光学装置４４に向かって矢印Ｂの方向に送風される。送風された冷却空気は、熱伝導板４４８および熱伝導性ゴム７を介して射出側偏光板４４４から熱が伝導された台座部５２を冷却しつつ、矢印Ｃ方向に上昇する。矢印Ｃ方向に上昇した冷却空気は二手に分かれ、一方が、保持枠４４６の光束入射側端面に沿って、矢印Ｃ１方向に流通して保持枠４４６の前面を冷却する。また、もう一方は、二つの固定部材４４７の間、すなわち矢印Ｃ２方向を流通して、射出側偏光板４４４および保持枠４４６背面を下方から冷却する。冷却空気は、その後、矢印Ｄ方向に更に上昇し、熱が伝導された放熱部材４４９を冷却する。光学装置４４の冷却に供された冷却空気は、排気口２２（図１）から図示しない排気ファンによって、プロジェクタ１外に排気される。
【００４９】
（４）実施形態の効果
本実施形態によれば、以下のような効果がある。
（１−１）冷却装置５のフレーム５１に一体的に形成された台座部５２には、光学装置４４のクロスダイクロイックプリズム４４５が支持される。このクロスダイクロイックプリズム４４５の光束入射端面に取り付けられた熱伝導板４４８には、射出側偏光板４４４が取り付けられており、この射出側偏光板４４４で発生した熱は、台座部５２に形成された当接面５２２と当接する熱伝導板４４８および熱伝導性ゴム７を介して、台座部５２に伝導され放熱される。これによれば、射出側偏光板４４４の熱は、ファン本体５１１からの送風による冷却と、熱が伝導された台座部５２の放熱による冷却との２系統の冷却系により冷却されるので、射出側偏光板４４４に対して冷却空気を吹き付けて冷却するだけの場合に比べ、射出側偏光板４４４を効率良く冷却することができる。
【００５０】
（１−２）冷却装置５は、金属材料によって形成されている。これによれば、金属は、合成樹脂等に比べて熱伝導率が高いので、冷却装置５では、射出側偏光板４４４の熱が熱伝導板４４８から、当接面５２２を介して、速やかに冷却装置５の台座部５２に伝導させることができる。従って、合成樹脂等で形成された冷却装置と比べて、台座部５２に効率良く熱を伝導することができる。また、熱を保持する面積を拡大して、冷却装置５による冷却効果を向上することができる。さらに、フレーム５１が金属製であるので、クロスダイクロイックプリズム４４５を支持するのに必要な強度を確保することができる。
【００５１】
（１−３）射出側偏光板４４４が取り付けられた熱伝導板４４８は、台座部５２の当接面５２２に当接される。これによれば、熱伝導板４４８の熱が、熱伝導板４４８に当接された当接面５２２から台座部５２に直接伝導される。従って、熱伝導板４４８から台座部５２への熱の伝導効率を向上することができ、熱伝導板４４８を効率良く冷却することができる。
【００５２】
（１−４）射出側偏光板４４４が取り付けられる熱伝導板４４８は、サファイアガラスによって形成されている。ここで、サファイアガラスは、熱伝導性が高いので、射出側偏光板４４４に生じた熱が熱伝導板４４８に迅速に伝導されることとなる。これによれば、射出側偏光板４４４の急激な温度上昇を抑制でき、射出側偏光板４４４の熱変性を抑制することができる。また、サファイアガラスの高い熱伝導性により、冷却装置５への熱伝導が速やかに行われるので、台座部５２への放熱およびファン本体５１１からの冷却空気の送風によって、効率良く射出側偏光板４４４を冷却することができる。また、サファイアガラスは、通常のガラスに比べ、入射光束の透過率が高いので、サファイアガラスによって形成された熱伝導板４４８を用いた場合、光学装置４４に照射される光束が、熱伝導板４４８に吸収され、光束の光量が減少することを抑えることができる。なお、サファイアガラスの代わりに水晶を用いた場合にも、前述と略同様の効果を奏することができる。
【００５３】
（１−５）冷却装置５の台座部５２にクロスダイクロイックプリズム４４５が支持される。これによれば、冷却装置５を光学装置４４の台座として利用することができる。従って、クロスダイクロイックプリズム４４５を支持する部材を新たに設ける必要がないので、光学装置４４の構造を簡素化し、製造工数を削減して製造コストを削減することができる。また、台座部５２は、冷却装置５のフレーム５１において、ファン本体５１１の回転軸５１１Ａに応じた位置に形成されている。これによれば、台座部５２に支持されるクロスダイクロイックプリズム４４５の各光束入射端面に取り付けられた熱伝導板４４８に対して、均等に冷却空気を送風することができる。従って、それぞれの熱伝導板４４８に冷却空気を送風して、熱伝導板４４８および射出側偏光板４４４を均等に冷却することができる。
【００５４】
（１−６）冷却装置５の台座部５２には、支持されるクロスダイクロイックプリズム４４５の姿勢を調整するための膨出部５２１が形成されている。これによれば、微小な寸法の誤差が生ずることが多いクロスダイクロイックプリズム４４５の姿勢を調整して、射出側偏光板４４４から射出される光束に対して、適切な位置にクロスダイクロイックプリズム４４５を配置することができる。従って、クロスダイクロイックプリズム４４５の光束入射側端面が傾斜していても、冷却装置５に対して適切な位置にクロスダイクロイックプリズム４４５を取り付けることができる。
【００５５】
（１−７）冷却装置５のフレーム５１には、投写レンズ３に設けられた垂直板３Ｂを取り付ける凸部５１４およびねじ溝５１５が形成されている。これによれば、光学装置４４の冷却に冷却装置５を用いる場合において、投写レンズ３を冷却装置５に取り付ける場合では、凸部５１４およびねじ溝５１５により、投写レンズ３の垂直板３Ｂを冷却装置５に取り付けることができる。また、光源装置等、他のプロジェクタ１の構成部品の冷却に冷却装置５を用いる場合では、これら凸部５１４およびねじ溝５１５を使わずに冷却装置５を取り付けて、該構成部品を冷却することができる。従って、冷却装置５の汎用性を向上することができる。なお、垂直板３Ｂを金属材料とすれば、さらに高い熱伝導冷却が可能となる。
【００５６】
（１−８）プロジェクタ１内部における外装ケース２底面とライトガイド４５底面との間には、ダクト４６が形成されている。このダクト４６には、外装ケース２において、冷却装置５から離れた位置に形成された図示しない吸気用開口部から、この開口部に設けられた図示しないシロッコファンにより、プロジェクタ１外部から取り込まれた外部空気が流通している。この外部空気は、ダクト４６に開口した冷却装置５の吸気口５１２により取り込まれ、光学装置４４の冷却に供される。これによれば、吸気用開口部から冷却装置５が離れているので、冷却装置５の風切音等の騒音が、プロジェクタ１外部に漏れることを防ぐことができる。
また、シロッコファンは、回転数が低くても大きな吐出圧を有し、静粛性も高いので、シロッコファンにより外部空気を冷却装置５に送風する構成により、プロジェクタ１の静粛性を高め、かつ、シロッコファンの高い吐出圧で冷却装置５に外部空気を送風して、冷却装置５による光学装置４４の冷却を確実に行うことができる。さらに、プロジェクタ１の外装ケース２において、冷却装置５近傍に開口を設ける必要がない。従って、冷却装置５のファン本体５１１の音がプロジェクタ１外に漏れることを防ぐことができ、また、プロジェクタ１の外観の設計自由度を向上することができる。
【００５７】
〔２．第２実施形態〕
次に、本発明の第２実施形態に係わるプロジェクタについて説明する。第２実施形態のプロジェクタは、第１実施形態で示したプロジェクタと略同じ構成を備えているが、光学装置を冷却する冷却装置に、投写レンズを取り付ける取付部が一体的に形成されている点において、第１実施形態との相違点を有する。なお、以下の説明では、既に説明した部分と同一または略同一である部分については、同一の符号を付して説明を省略する。
【００５８】
図７には、第２実施形態に係わるプロジェクタ１に設けられた冷却装置５Ａが示されている。この冷却装置５Ａは、冷却装置５と略同じ構成となっており、内部にファン本体５１１が収納された筐体としてのフレーム５１と、このフレームに一体的に形成され、光学装置４４のクロスダイクロイックプリズム４４５を支持する台座部５２とを備えている。また、冷却装置５Ａは、冷却装置５の凸部５１４およびねじ溝５１５の代わりに、フレーム５１上面に形成された投写レンズ取付部としての取付部５３を備えている。この取付部５３は、投写レンズ３を位置決めして支持するものであり、光学装置４４の光束射出側のフレーム５１上面端部から略垂直に起立する板状体として形成されている。この取付部５３により投写レンズ３が、光学装置４４から射出される光束の光軸上に配置される。
【００５９】
従って、本発明の第２実施形態によれば、前述の（１−１）〜（１−８）と略同じ効果を奏することができるほか、以下の効果を奏することができる。
（２−１）冷却装置５Ａには、投写レンズ３を位置決めして支持する取付部５３が形成されているので、投写レンズ３のバックフォーカス位置に精度良くクロスダイクロイックプリズム４４５を配置することができる。さらに、台座部５２および取付部５３により、光学装置４４および投写レンズ３を、冷却装置５Ａに連結させることができるので、新たに両者を連結させる連結部材を設ける必要がなく、部品点数の削減を図ることができる
【００６０】
〔３．実施形態の変形〕
本発明は、前記実施形態に限定されるものではなく、本発明の目的を達成できる他の構成等を含み、以下に示すような変形等も本発明に含まれる。
前記各実施形態では、冷却装置５、５Ａは、光学装置４４を冷却する構成としたが、他の構成部品の冷却に用いてもよい。例えば、プロジェクタにおける上記以外の熱源である光源装置４１１および電源ユニット等に採用してもよい。また、プロジェクタに限らず、電気機器の制御基板上に配置されたＩＣ等の冷却に、本発明の冷却装置を採用してもよい。
【００６１】
前記各実施形態では、冷却装置５、５Ａ、保持枠４４６および放熱部材４４９はアルミニウム等の金属製材料から構成されるとしたが、これに限らず、例えば、マグネシウム、チタン、銅等の金属製で構成したものでもよく、また、アルミニウム、マグネシウム、チタン、あるいはこれらを主材料とした合金等の金属によって構成してもよい。すなわち、熱伝導性の高い材料により構成されていれば、他の材料により構成してもよい。
【００６２】
前記各実施形態では、冷却装置５、５Ａの台座部５２はフレーム５１と一体的に形成されるとしたが、別部材として形成された台座部をフレームに取り付ける構成であってもよい。この場合、フレーム５１内部に設けられたファン本体５１１に支障をきたした場合に、フレーム５１部分を取り外して、修理および交換を行うことができる。なお、台座部５２をフレーム５１と一体的に形成すれば、フレーム５１に台座部５２を取り付ける工数を省略することができる。また、フレーム５１と台座部５２との間に接着剤等を介在しないので、台座部５２に伝導された熱が、フレーム５１に伝導されやすくすることができ、冷却効率を向上することができる。
【００６３】
前記各実施形態では、熱伝導板４４８はサファイアガラスまたは水晶によって形成されるとしたが、他のガラス素材や、合成樹脂等から形成してもよい。すなわち、射出側偏光板４４４から射出される光束を透過し、射出側偏光板４４４で発生した熱を冷却装置の台座部および放熱部材に伝導できる素材であればよい。なお、サファイアガラスまたは水晶で形成すれば、光束の透過性がよく、熱伝導性の高い熱伝導板を作成することができる。
【００６４】
前記各実施形態では、冷却装置５、５Ａおよび放熱部材４４９を光学装置４４に取り付ける際に熱伝導性ゴム７を用いるとしたが、熱伝導性の接着剤等を用いてもよい。すなわち、冷却対象の熱が冷却装置に伝導されるように、冷却対象を冷却装置に取り付けるものであればよい。
【００６５】
前記各実施形態では、固定部材４４７は、２つの板状部材から構成されるとしたが、１つの板状部材から構成し、この板状部材の四隅にピン４４７Ａが形成される構成としてもよい。なお、固定部材４４７を２つの板状部材から構成すれば、冷却装置５により下方から送風される冷却空気の流路を確保して、確実に射出側偏光板４４４を冷却することができる。
【００６６】
前記各実施形態では、３つの光変調装置を用いたプロジェクタ１の例のみを挙げたが、１つの光変調装置のみを用いたプロジェクタ、２つの光変調装置を用いたプロジェクタ、あるいは、４つ以上の光変調装置を用いたプロジェクタにも適用可能である。
また、光変調装置として液晶パネル４４１を用いたが、マイクロミラーを用いたデバイスなど、液晶以外の光変調装置を用いてもよい。
さらに、前記実施形態では、光入射面と光射出面とが異なる透過型の光変調装置を用いていたが、光入射面と光射出面とが同一となる反射型の光変調装置を用いてもよい。
【００６７】
前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【図面の簡単な説明】
【図１】本発明の第１実施形態に係るプロジェクタを示す斜視図。
【図２】前記第１実施形態における光学ユニットの光学系を模式的に示す図。
【図３】前記第１実施形態における光学装置および冷却装置を示す斜視図。
【図４】前記第１実施形態における光学装置および冷却装置を示す分解斜視図。
【図５】前記第１実施形態における冷却装置を示す側面図。
【図６】前記第１実施形態における光学装置および冷却装置を示す部分断面図。
【図７】前記第２実施形態における光学装置および冷却装置を示す部分断面図。
【符号の説明】
１・・・プロジェクタ、２・・・外装ケース（外装筐体）、５、５Ａ・・・冷却装置、４４・・・光学装置、５１・・・フレーム（筐体）、５２・・・台座部（放熱部、台座）、５２Ａ・・・上面（支持面）、５３・・・取付部（投写レンズ取付部）、４１７・・・光源ランプ（光源）、４４１・・・液晶パネル（光変調装置）、４４４・・・射出側偏光板（光学変換素子）、４４５・・・クロスダイクロイックプリズム（色合成光学系）、４４８・・・熱伝導板、５１１・・・ファン本体、５１１Ａ・・・回転軸、５１１Ｂ・・・ファンブレード（羽根部材）、５２１・・・膨出部、５２２・・・当接面。
【図１】
2004354853.tif 000003
【図２】
2004354853.tif 000004
【図３】
2004354853.tif 000005
【図４】
2004354853.tif 000006
【図５】
2004354853.tif 000007
【図６】
2004354853.tif 000008
【図７】
2004354853.tif 000009